(57)【要約】      （修正有）【課題】使用済プラスチックボトルのリサイクルにより形成した花瓶を提供する。【解決手段】胴部３の上方に肩部を介して小径の口筒部を備えた有底のプラスチックボトルを上下に二分するように切断して成り、切断端の開口縁７ａと口筒部及び肩部を含む漏斗体７と、切断端の開口縁６ａと胴部３を含む有底の筒体６とから構成され、口筒部を下向きとして、漏斗体７を筒体６に嵌入すると共に、漏斗体７と筒体６の開口縁７ａ、６ａを相互に重ね合わせて固着している。【選択図】図５
0003197650.tif 000002
【実用新案登録請求の範囲】
【請求項１】
胴部(3)の上方に肩部(4)を介して小径の口筒部(5)を備えた有底のプラスチックボトル(1)を上下に二分するように切断して成り、切断端の開口縁(7a)と前記口筒部(5)及び肩部(4)を含む漏斗体(7)と、切断端の開口縁(6a)と前記胴部(3)を含む有底の筒体(6)とから構成され、
前記口筒部(5)を下向きとして、前記漏斗体(7)を前記筒体(6)に嵌入すると共に、前記漏斗体(7)と前記筒体(6)の開口縁(7a)(6a)を相互に重ね合わせて固着して成ることを特徴とする花瓶。
【請求項２】
前記筒体(6)の外周面を装飾シート(12)により被覆して成ることを特徴とする請求項１に記載の花瓶。
【考案の詳細な説明】
【技術分野】
【０００１】
本考案は、使用済のプラスチックボトルをリサイクルすることにより提供される花瓶に関する。
【背景技術】
【０００２】
例えば、飲料容器としてのペットボトルは、生産量が極めて多く、使用後は大半が廃棄物として処理されている。そこで、資源を有効利用するためには、使用済のボトルをリサイクルすることが望ましい。
【０００３】
この点に関して、使用済のペットボトルを花瓶として利用する発明や考案が提案されている（特許文献１及び２）。
【先行技術文献】
【特許文献】
【０００４】
【特許文献１】特開２００３−１９１９４２号公報
【特許文献２】実用新案登録第３１８９４５２号公報
【考案の概要】
【考案が解決しようとする課題】
【０００５】
特許文献１は、ペットボトルを収容する箱形の紙器から成るケースを提案し、特許文献２は、ペットボトルを収容する袋から成るケースを提案しており、前記ケースに１本のペットボトルを原形のままの状態で収容し、該ペットボトルに水を貯留し、花を生けるように構成している。
【０００６】
しかしながら、何れの場合も、１本のペットボトルを原形のまま収容するものであるから、花瓶の背丈がペットボトルの原形の高さ寸法に限定され、所望の高さ寸法の花瓶を提供することができないという問題がある。
【０００７】
しかも、上方から見ると、ペットボトルの口筒部がケースの上部開口に臨んでいる状態で視認されるため、ペットボトルの存在を覚知されるという問題がある。
【課題を解決するための手段】
【０００８】
本考案は、上記課題を解決した花瓶を提供するものであり、その手段として構成したところは、胴部の上方に肩部を介して小径の口筒部を備えた有底のプラスチックボトルを上下に二分するように切断して成り、切断端の開口縁と前記口筒部及び肩部を含む漏斗体と、切断端の開口縁と前記胴部を含む有底の筒体とから構成され、前記口筒部を下向きとして、前記漏斗体を前記筒体に嵌入すると共に、前記漏斗体と前記筒体の開口縁を相互に重ね合わせて固着して成る点にある。
【０００９】
花瓶の前記筒体は、外周面を装飾シートにより被覆することが好ましい。
【考案の効果】
【００１０】
本考案によれば、使用済みのプラスチックボトル１を利用することにより、花瓶８を提供することができ、資源のリサイクルに貢献することが可能である。
【００１１】
本考案の花瓶８は、プラスチックボトル１を上下に二分するように切断された漏斗体７を下向きとして筒体６に嵌入固着する構成であるから、筒体６の高さＨ１と漏斗体７の高さＨ２をＨ１＞Ｈ２とする条件の範囲内で、筒体６の高さＨ１を任意の寸法とすることが可能であり、これにより提供される花瓶８の高さを所望の寸法に形成することができる。
【００１２】
花瓶８を使用する場合、筒体６は、底部２の上に貯水室９を形成しているので、開口縁７ａから注入した水を好適に貯留する。そこで、花１０の茎１０ａを差し込むことにより、花瓶として好適に使用することができ、この際、漏斗体７の小径とされた口筒部５が中心に位置し、茎１０ａの保持手段１１として機能するので、茎１０ａが開口縁７ａにもたれるように傾くことはなく、中心に位置して直立姿勢を保持されるという利点がある。
【００１３】
そして、花瓶８を上方から見たとき、開口縁７ａから漏斗体７の肩部４が視認されるだけで、下方位置の口筒部５は視認困難とされているので、ペットボトル１の廃物利用であることを覚知し難く、美的外観が保持される。
【００１４】
更に、中心位置に保持された花８から枯れ落ちる花弁は、漏斗体７の肩部４に受止められるので、清掃等の処理が容易である。
【図面の簡単な説明】
【００１５】
【図１】本考案の花瓶を提供するために利用するプラスチックボトルの１例を示し、（Ａ）は斜視図、（Ｂ）は断面図である。
【図２】前記プラスチックボトルを上下に二分するように切断した状態を示し、（Ａ）は斜視図、（Ｂ）は断面図である。
【図３】切断により形成した筒体と漏斗体の組み合わせ方法を示し、（Ａ）は斜視図、（Ｂ）は断面図である。
【図４】本考案の花瓶の１実施形態を示し、（Ａ）は斜視図、（Ｂ）は断面図である。
【図５】本考案の花瓶の別の実施形態を示し、（Ａ）は斜視図、（Ｂ）は断面図である。
【図６】本考案の花瓶の更に別の実施形態を示す断面図である。
【考案を実施するための形態】
【００１６】
以下図面に基づいて本考案の好ましい実施形態を詳述する。
【００１７】
（ペットボトル）
図１は、本考案の花瓶を提供するために利用するプラスチックボトルの１例を示しており、飲料容器としてのペットボトル１を示している。ペットボトル１は、底部２を有する胴部３を備え、胴部３の上方に次第に縮径することにより湾曲する肩部４を介して小径の口筒部５を設けている。
【００１８】
図例は、横断面を円形としたペットボトル１を示しているが、横断面を角形としたペットボトルでも良く、その具体的形状を問うものではない。
【００１９】
ペットボトル１は、飲料容器として提供された際は、口筒部５にキャップを螺着しているが、本考案は、飲料を消費した使用済のペットボトル１をリサイクルのために利用するものであるから、キャップは処分し、口筒部５を開口させた状態で利用する。
【００２０】
（切断工程）
上記ペットボトル１は、図２に示すように、上下を二分するように切断され、切断された下側部分により筒体６を構成し、上側部分により漏斗体７を構成する。ペットボトル１は、薄肉に成形されているので、カッター等で簡単容易に切断することができる。
【００２１】
これにより、筒体６は、切断端の開口縁６ａと前記底部２及び胴部３を含んでおり、漏斗体７は、切断端の開口縁７ａと前記肩部４及び口筒部５を含んでいる。図示実施形態の場合、ペットボトル１の胴部３の上端近傍部を切断することにより、漏斗体７に胴部３の一部分３ａが含まれているが、ペットボトル１の肩部４と胴部３の境界部分を切断することにより、漏斗体７には胴部３の一部分が含まれないように構成しても良い。
【００２２】
前記切断の個所は、筒体６の高さＨ１と漏斗体７の高さＨ２をＨ１＞Ｈ２とする条件の範囲内で、筒体６の高さＨ１を任意の寸法とすることが可能であり、これにより完成後の花瓶８の高さを所望の寸法に形成することができる。
【００２３】
（嵌入工程）
上記切断工程により筒体６と漏斗体７を形成した後、図３及び図４に示すように、前記口筒部５を下向きとして、前記漏斗体７を前記筒体６に嵌入すると共に、前記漏斗体７と前記筒体６の開口縁７ａ、６ａを相互に重ね合わせて固着すると、これにより、花瓶８が形成される。尚、固着手段は、接着剤を使用しても良く、或いは接着テープ等を使用することも可能であり、任意の手段を用いることができる。
【００２４】
（花瓶の第１実施形態）
図４に示すように、花瓶８は、筒体６の底部２の上に貯水室９を形成しているので、開口縁７ａから注入した水を貯留する。そこで、花１０の茎１０ａを差し込むことにより、花瓶として好適に使用することができる。この際、漏斗体７の小径とされた口筒部５が中心に位置し、茎１０ａの保持手段１１として機能するので、茎１０ａが開口縁７ａにもたれるように傾くことはなく、中心に位置して直立姿勢を保持される。
【００２５】
そして、花瓶８を上方から見たとき、開口縁７ａから漏斗体７の肩部４が視認されるだけで、下方位置の口筒部５は視認困難とされているので、ペットボトル１の廃物利用であることを覚知し難く、美的外観が保持される。
【００２６】
更に、中心位置に保持された花８の枯れ落ちる花弁は、漏斗体７の肩部４に受止められるので、清掃等の処理が容易である。
【００２７】
尚、花瓶８の外観を構成する筒体６が透明の場合は、筒体６に任意の着色を施したり、後述する装飾シートにより被覆したりすれば良い。
【００２８】
（花瓶の第２実施形態）
図５は、花瓶８の第２実施形態を示しており、筒体６の外周を装飾シート１２により被覆している。その他の構成は、上述の花瓶８と同様である。
【００２９】
装飾シート１２は、任意の素材を使用することができるが、例えば、丸編みにより編織したレース模様等を有する筒状生地を使用すれば、筒体６を筒状生地に挿入するだけで簡単容易に装飾シート１２による被覆が可能である。或いは、建築用の壁紙やその他の装飾紙を筒体６に巻き付け固着しても良い。
【００３０】
これにより、花瓶８は、雅趣に富む美的外観が付与され、この際、図示のように、装飾シート１２を開口縁７ａの内側に折曲することにより、縁取り部１２ａを形成すれば、プラスチック製の開口縁７ａが隠蔽され、更に外観美麗なものとなる。
【００３１】
（花瓶の第３実施形態）
図６は、花瓶８の第３実施形態を示しており、筒体６に嵌入固着した漏斗体７に水抜き孔１３を開設している。これにより、花瓶８の貯水室９に貯留した水を排出するため、図示のように花瓶８を傾倒させたとき、大半の水は、矢印Ｍで示すように、口筒部５から注出され、筒体６の胴部３と漏斗体７の肩部４の間に残留する水は、矢印Ｎで示すように、前記水抜き孔１３から注出することが可能となる。
【符号の説明】
【００３２】
１  ペットボトル（プラスチックボトル）
２  底部
３  胴部
４  肩部
５  口筒部
６  筒体
６ａ  開口縁
７  漏斗体
７ａ  開口縁
８  花瓶
９  貯水室
１０  花
１０ａ  茎
１１  保持手段
１２  装飾シート
１２ａ  縁取り部
１３  水抜き孔
【図１】
0003197650.tif 000003
【図２】
0003197650.tif 000004
【図３】
0003197650.tif 000005
【図４】
0003197650.tif 000006
【図５】
0003197650.tif 000007
【図６】
0003197650.tif 000008